(57)【特許請求の範囲】
【請求項１】
リップ溝形鋼で形成された根太どうしを接続して、前記根太の振動を防止する根太振動防止金物であって、
平板、および
前記平板の長手方向における両端縁に連続して設けられるかつ隣接する前記根太に設けられたリップのそれぞれに係合される第１係合部および第２係合部を備える、根太振動防止金物。
【請求項２】
前記平板と前記第１係合部および前記第２係合部の少なくとも一方との間に補強板を設けた、請求項１記載の根太振動防止金物。
【請求項３】
前記リップに当接する前記第１係合部および前記第２係合部の当接面に弾性部材を設けた、請求項１または２記載の根太振動防止金物。
【発明の詳細な説明】
【０００１】
【産業上の利用分野】
この発明は根太振動防止金物に関し、特にたとえば、スチールハウスのような建造物において、リップ溝形鋼で形成された根太どうしを接続して、根太の振動を防止する、根太振動防止金物に関する。
【０００２】
【従来の技術】
図６に示す従来のこの種の根太振動防止金物１は、長尺の鋼板で形成され、スチールハウスのような建造物に用いられる。スチールハウスでは、リップ溝形鋼によって形成された根太２が複数取り付けられている。この根太２の両端縁は、図示しないクリップアングル等を介して、胴差し３にドリリングタッピングねじ４によりねじ止めされる。また、根太２の上フランジ５は、二点鎖線で示される床合板６にねじ止めされている。そして、根太振動防止金物１は、根太２の下フランジ７にねじ止めされ、複数の根太２を接続していた。このようにして、根太２が振動するのを防止していた。
【０００３】
【発明が解決しようとする課題】
しかし、この従来技術では、根太振動防止金物１は長尺の鋼板で形成されているため、取り付ける際に、根太振動防止金物１にたわみが生じないように、テンションを加える必要があった。また、根太振動防止金物１は、根太２の下フランジ７に下方からねじ止めするため、施工者は上向きでねじ止めする必要があり、固定しにくいという問題があった。このように、施工性が悪かった。
【０００４】
それゆえに、この発明の主たる目的は、簡単に取り付けることができる、根太振動防止金物を提供することである。
【０００５】
【課題を解決するための手段】
この発明は、リップ溝形鋼で形成された根太どうしを接続して、根太の振動を防止する根太振動防止金物であって、平板、および平板の長手方向における両端縁に連続して設けられるかつ隣接する根太に設けられたリップのそれぞれに係合される第１係合部および第２係合部を備える、根太振動防止金物である。
【０００６】
【作用】
この発明の根太振動防止金物は、たとえば鋼板からなる平板を含み、この平板の長手方向における両端縁には第１係合部および第２係合部がそれぞれ設けられる。この根太振動防止金物は、たとえばスチールハウスの根太に取り付けられ、平板の長手方向の長さは、隣り合う根太どうしの間隔とほぼ同じに設定される。また、第１係合部および第２係合部は、根太の下フランジのリップに係合可能に形成される。根太振動防止金物を隣接された根太に取り付ける際には、第１係合部が一方の根太に設けられたリップに係合され、第２係合部が他方の根太に設けられたリップに係合する。したがって、隣り合う根太が、根太振動防止金物によって接続（連結）される。このようにして、スチールハウスに設置された根太が根太振動防止金物によって連結され、したがって、根太に振動が発生するのを可及的防止することができる。このため、振動音を抑えることができる。
【０００７】
たとえば、平板と第１係合部との間および平板と第２係合部との間の少なくとも一方に、補強板を設けるので、根太振動防止金物を根太に取り付ける際に、平板が延びてしまったり、第１係合部および第２係合部の少なくとも一方が所望でない角度に曲がってしまったりするのを防止することができる。
【０００８】
また、リップに当接する第１係合部および第２係合部のそれぞれの当接面に弾性部材を設けるようにすれば、弾性部材の復元力によって、第１係合部および第２係合部をリップから抜けにくくすることができる。つまり、根太振動防止金物を強固に取り付けることができる。このため、ねじ止め等をする必要がない。
【０００９】
【発明の効果】
この発明によれば、係合部をリップに係合させるだけで取り付けることができるので、簡単に根太どうしを接続することができる。すなわち、施工性を向上できる。
【００１０】
この発明の上述の目的，その他の目的，特徴および利点は、図面を参照して行う以下の実施例の詳細な説明から一層明らかとなろう。
【００１１】
【実施例】
図１を参照して、第１の実施例の根太振動防止金物１０は平板１２を含み、平板１２の長手方向における両端縁から立ち上げて、連続した第１係合部１４および第２係合部１６が形成される。この根太振動防止金物１０は、図２に示すように、たとえばスチールハウス１００において、リップ溝形鋼で形成された根太１８に取り付けられ、根太１８に振動が発生したり、根太１８が転んでしまったりするのを防止する。
【００１２】
なお、簡単に説明するため、図２においては、スチールハウスの一部を示してある。
【００１３】
金物１０すなわち平板１２は、たとえば鋼板からなり、平板１２の長手方向の長さは、隣り合う根太１８の間隔とほぼ同じに設定される。この平板１２の板厚は、スチールハウス１００を構成するリップ溝形鋼および溝形鋼等の構造部材と同様に、０．８ｍｍ〜１．６ｍｍ程度に設定される。
【００１４】
第１係合部１４および第２係合部１６は、平板１２の長手方向における端縁に連続的に形成される。第１係合部１４は、平板１２の一方主面１２ａに対してほぼ垂直に立ち上がる側板１４ａおよび側板１４ａから延びて形成される湾曲部１４ｂを含む。同様に、第２係合部１６は、平板１２の一方主面１２ａに対してほぼ垂直に立ち上がる側板１６ａおよび側板１６ａから延びて形成される湾曲部１６ｂを含む。この第１係合部１４および第２係合部１６の高さ（一方主面１２ａに対して垂直方向の長さ）は、リップ部２２の高さとほぼ同じに設定される。
【００１５】
なお、第１係合部１４および第２係合部１６の板厚も、０．８ｍｍ〜１．６ｍｍ程度に設定される。
【００１６】
湾曲部１４ｂおよび湾曲部１６ｂは、根太１８の下フランジ２０に設けられたリップ２２に係合する略逆Ｕ字形状（または略鉤形状等）に形成される。また、湾曲部１４ｂは平板１２と反対側に設けられ、湾曲部１６ｂは平板１２側に設けられる。つまり、第１係合部１４および第２係合部１６は同じ向きに形成される。さらに、湾曲部１４ａおよび１６ａは、Ｕ字の縦棒で挟まれる面の間隔（内面間隔）がリップ２２の厚みとほほ同じに設定される。
【００１７】
この根太振動防止金物１０は、たとえば、所定長さの１枚の鋼板を曲げ加工することにより形成される。
【００１８】
図２に示すように、複数の根太１８は、たとえばスチールハウス１００の上階と下階との境界部分において、一定間隔を隔てて設けられる。根太１８の両端縁は、図示しないクリップアングルを介してドリリングタッピングねじ（以下、「ねじ」という。）２４により胴差し２６に固着される。また、根太１８の上フランジ２８は、二点鎖線で示される上階の床合板３０にねじ止めされる。
【００１９】
なお、胴差し２６は、下階に設けられた複数の柱３２の上端部を繋ぐ上枠３４の上面に設置されている。
【００２０】
この根太振動防止金物１０を根太１８に取り付ける際には、まず、第２係合部１６の湾曲部１６ｂが根太１８のリップ２２に係合される。次に、第１係合部１４の湾曲部１４ｂが、第２係合部１６の湾曲部１６ａが係合された根太１８に隣接する根太１８のリップ２２に係合される。したがって、図３に示すように、隣り合う２つの根太１８の下フランジ２０が接続（連結）される。つまり、隣り合う２つの根太１８が連結される。
【００２１】
このようにして、根太振動防止金物１０がすべての根太１８に対して取り付けられ、複数の根太１８を一体化することにより、根太を補強することができる。したがって、根太１８に振動が発生するのを可及的少なくすることができる。このため、振動音が発生するのを抑えることができる。
【００２２】
第１の実施例によれば、係合部をリップに係合させるだけで、根太振動防止金物を取り付けることができる。つまり、従来のように、テンションを加える作業やねじ止め作業が必要でないので、簡単に取り付けることができる。したがって、施工性を向上することができる。
【００２３】
図４に示す第２の実施例の根太振動防止金物１０は、平板１２と第１係合部１４の側板１４ａとの間に三角リブプレートのような補強板３６を設けた以外は、第１の実施例と同じであるため、重複した説明は省略する。
【００２４】
この根太振動防振金物１０では、補強板３６は、図４に示すように、平板１２および平板１４ａの両方に直交するように配置される。そして、アーク溶接などによって、平板１２と側板１４ａとの間に固定される。つまり、平板１２と第１係合部１４とが補強される。このため、根太振動防止金物１０を根太に取り付ける際等に、平板１２が延びてしまったり、平板１２と側板１４ａとの間の角度が所望でない角度すなわち直角以外の角度になったりするのを防止することができる。つまり、根太振動防止金物１０が変形するのを防止することができる。
【００２５】
図５（Ａ）に示す第３の実施例の根太振動防止金物１０は、第１係合部１４および第２係合部１６に、ゴム，樹脂またはエラストマのような弾性部材３８を設けた以外は、第１の実施例とほぼ同じであるため、重複した説明は省略する。
【００２６】
図５（Ａ）から分かるように、この根太振動防止金物１０では、弾性部材３８は、第１係合部１４および第２係合部１６がリップ２２に当接する面（当接面）１４ｃおよび１６ｃに接着される。したがって、図５（Ｂ）に示すように、根太振動防止金物１０を根太１８に取り付けると、弾性部材３８が第１係合部１４および第２係合部１６とリップ２２とによって収縮される。つまり、弾性部材３８の復元力によって、第１係合部１４および第２係合部１６がリップ２２から抜けるのを防止することができるので、根太振動防止金物１０をより強固に根太１８に取り付けることができる。また、根太１８が振動しても、弾性部材３８が介在するため、第１係合部１４および第２係合部１６とリップ２２とが直接擦り合わないので、異音が発生することがない。
【００２７】
ただし、弾性部材３８の厚みを考慮して、湾曲部１４ｂおよび湾曲部１６ｂの内面間隔を確保し、第１係合部１４および第２係合部１６を形成する必要がある。
【００２８】
また、第２実施例で示したように、補強板３６をさらに設けるようにしてもよいことは言うまでもない。
【００２９】
なお、上述の実施例では、胴差し２６に一定間隔で取り付けられた根太１８に、根太振動防止金物１０を取り付けるようにしているが、根太１８どうしを根太振動防止金物１０で接続した根太ユニットを形成してから、この根太ユニットを胴差し２６に取り付けるようにしてもよい。この場合には、この根太振動防止金物１０がスペーサとしても機能するため、根太１８の取付間隔を規定することができる。すなわち、根太１８の位置決めが簡単である。したがって、施工性をさらに向上することができる。
【００３０】
また、上述の実施例では、第１係合部１４および第２係合部１６の湾曲部１４ｂおよび１６ｂは同じ方向に湾曲されているが、これらが湾曲される方向は、接続すべき根太１８の向きにより適宜変更される。たとえば、隣接する根太１８に設けられたリップ２２が互いに向かい合うように、根太１８が配置されている場合には、湾曲部１４ｂおよび湾曲部１６ｂは、平板１２と反対側に湾曲される。また、隣接する根太１８に設けられたリップ２２が互いに反対に向く（ウェブが互いに向かい合う）ように、根太１８が配置されている場合には、湾曲部１４ａおよび１６ａは、互いに向かい合う方向すなわち平板１２側に湾曲される。
【００３１】
ただし、このような場合には、隣接する根太１８に設けられるリップ２２どうしの間の距離に応じて平板１２の長手方向の長さを適宜変更する必要がある。
【００３２】
また、前者のように、湾曲部１４ｂおよび湾曲部１６ｂを平板１２と反対側に湾曲させる場合には、平板１２と第１係合部１４との間および平板１２と第２係合部１６との間に第２の実施例で示したような補強板３６をそれぞれに設けて、補強することができる。
【００３３】
さらに、後者のように、湾曲部１４ｂおよび湾曲部１６ｂが平板１２側に湾曲される場合には、根太振動防止金物１０の取り付けが困難になるため、補強板３６を設けることはできない。
【００３４】
さらにまた、いずれの場合にも、第３の実施例で示したような弾性部材３８を、第１係合部１４および第２係合部１６がリップ２２に当接する当接面１４ｃおよび１６ｃに設けてもよいことは言うまでもない。
【００３５】
したがって、根太１８の向きを不規則にする必要がある場合であっても、根太振動防止金物１０を取り付けて、根太１８が振動するのを防止することができる。
【図面の簡単な説明】
【図１】この発明の第１の実施例を示す図解図である。
【図２】図１に示す根太振動防止金物の取り付け形態の一例を示す図解図である。
【図３】図１に示す根太振動防止金物を隣接する根太に取り付けた状態を示す拡大図解図である。
【図４】この発明の第２の実施例を示す図解図である。
【図５】この発明の第３の実施例を示す図解図である。
【図６】従来の根太振動防止金物を示す図解図である。
【符号の説明】
１０  …根太振動防止金物
１２  …平板
１４  …第１係合部
１４ａ，１６ａ  …側板
１４ｂ，１６ｂ  …湾曲部
１４ｃ，１６ｃ  …当接面
１６  …第２係合部
１８  …根太
２２  …リップ
３６  …補強板
３８  …弾性部材
【図１】
0003634740.tif 000002
【図２】
0003634740.tif 000003
【図３】
0003634740.tif 000004
【図４】
0003634740.tif 000005
【図５】
0003634740.tif 000006
【図６】
0003634740.tif 000007